(57)【要約】【課題】  フィルムが使用されるカメラ及び撮像素子を備えたデジタルカメラの双方が着脱可能に装着される交換レンズにおいて、どちらのカメラが装着されても制度の高いフォーカス制御をできるようにする。【解決手段】  それぞれレンズ装置（２ｂ）から受信した情報を用いて演算を行うカメラであり、フィルム（１８）を使用する第１のカメラ（１ａ）と撮像素子（１７）を備えた第２のカメラ（１ｂ）とに装着可能なレンズ装置であって、前記第１のカメラに対応した第１の情報と前記第２のカメラに対応した第２の情報を生成するための第３の情報とを記憶した記憶手段（１１）と、前記第１及び第２の情報のうち該レンズ装置が装着されたカメラに対応する情報を該カメラに送信する制御手段（１０）とを有することを特徴とするレンズ装置。【選択図】  図３
2006119283.tif 000002
【特許請求の範囲】
【請求項１】
それぞれレンズ装置から受信した情報を用いて演算を行うカメラであり、フィルムを使用する第１のカメラと撮像素子を備えた第２のカメラとに装着可能なレンズ装置であって、
前記第１のカメラに対応した第１の情報と前記第２のカメラに対応した第２の情報を生成するための第３の情報とを記憶した記憶手段と、
前記第１及び第２の情報のうち該レンズ装置が装着されたカメラに対応する情報を該カメラに送信する制御手段とを有することを特徴とするレンズ装置。
【請求項２】
それぞれレンズ装置から受信した情報を用いて演算を行うカメラであり、フィルムを使用する第１のカメラと撮像素子を備えた第２のカメラとに装着可能なレンズ装置であって、
前記第１のカメラに対応した第１の情報と前記第２のカメラに対応した第２の情報とを記憶した記憶手段と、
前記第１及び第２の情報のうち該カメラに対応する情報を送信する制御手段とを有することを特徴とするレンズ装置。
【請求項３】
それぞれレンズ装置から受信した情報を用いて演算を行うカメラであり、フィルムを使用する第１のカメラと撮像素子を備えた第２のカメラとに装着可能なレンズ装置であって、
前記第２のカメラに対応した第２の情報と前記第１のカメラに対応した第１の情報を生成するための第３の情報とを記憶した記憶手段と、
前記第１及び第２の情報のうち該レンズ装置が装着されたカメラに対応する情報を該カメラに送信する制御手段とを有することを特徴とするレンズ装置。
【請求項４】
前記第１および第２の情報は、該レンズ装置のフォーカス制御に関わる情報であることを特徴とする請求項１から３のいずれか１つに記載のレンズ装置。
【請求項５】
前記第１および第２の情報は、前記第１および第２のカメラにおける測光に関わる情報であることを特徴とする請求項１から３のいずれか１つに記載のレンズ装置。
【請求項６】
前記制御手段は、該レンズ装置が前記第２の情報を有するレンズ装置であることを前記第２のカメラに検出させるための第４の情報を前記第２のカメラに送信することを特徴とする請求項１から５のいずれか１つに記載のレンズ装置。
【請求項７】
前記制御手段は、該レンズ装置が装着されたカメラが前記第１のカメラか前記第２のカメラかを判別し、該判別結果に応じて該カメラに送信する情報を選択することを特徴とする請求項１から５のいずれか１つに記載のレンズ装置。
【請求項８】
請求項１から７のいずれか１つに記載のレンズ装置と、
フィルムを使用するカメラであって前記レンズ装置から受信した情報を用いて演算を行う第１のカメラと、
撮像素子を備えたカメラであって前記レンズ装置から受信した情報を用いて演算を行う第２のカメラとを有することを特徴とするカメラシステム。
【発明の詳細な説明】
【技術分野】
【０００１】
本発明は、フィルムが使用されるカメラ及び撮像素子を備えたカメラに対して着脱可能なレンズ装置に関する。
【背景技術】
【０００２】
従来の銀塩フィルムを用いた一眼レフカメラは、多くの交換レンズユニットを揃えてシステム化されている。近年、撮像素子（例えば、ＣＣＤセンサ、ＣＭＯＳセンサ）を用いたデジタルカメラの製品化が活発になっている。レンズ交換が可能な一眼レフタイプのデジタルスチルカメラにおいては、動画用カメラ（ビデオムービー）及びコンパクトデジタルスチルカメラよりも撮影画像を高画質化するために、撮像素子の寸法を大きく設定しており、その画素数は４００〜６００万画素程度のものが主流となっている。
【０００３】
さらに、最近では１０００万画素を超える撮像素子も製品化されており、今後はさらなる高画素化の要求に伴い、銀塩フィルム以上の高画質化が求められる。
【０００４】
レンズ交換が可能な一眼レフタイプのデジタルスチルカメラのうち、デジタルカメラ専用の交換レンズしか使用できないカメラがある。
【０００５】
一方、既に発売されている銀塩用交換レンズを購入しているユーザのために、デジタルカメラ専用レンズ及び銀塩用交換レンズの双方の着脱が可能なカメラが提案されている。このカメラの場合、銀塩カメラとデジタルカメラ両方を所有しているユーザにとっては同じレンズを両カメラで使用できるメリットがある。
【０００６】
銀塩フィルム用カメラと異なり、デジタルカメラの場合、通常偽色やモアレなどの不具合を緩和防止するために撮像素子と交換レンズの間に厚みを持った板状のローパスフィルタを配置している。
【０００７】
また、撮像素子は長波長側の赤外域に感度を有しているため、分光感度を可視域に補正するためにダイクロフィルタ特性を有する板状部材を配置している。例えば、銀塩カメラ用交換レンズをデジタルカメラに装着した場合、前述したようなローパスフィルタ、ダイクロフィルタさらに撮像素子のカバーガラス等が配置されているため、レンズから撮像素子の受光面に結像する入射光は、光学的に１〜４ｍｍ程度の厚み寸法を有する平板ガラスを通過した場合と同様の作用を及ぼすことになる。
【０００８】
平板ガラスを通過することによりレンズの焦点距離は変化しないが、平板ガラス空気換算相当の光路長のピント位置変化と、平板ガラスを通過することによる光学収差である球面収差や像面湾曲等が変化することにより、ベストピント位置が変化することになる。
【０００９】
前記平板ガラス空気換算相当の光路長のピント位置変化に関しては、前記平板ガラス相当の厚みだけに依存する固定量であり、その量はそのデジタルカメラ固有の固定量となるために、例えばデジタルカメラ側で交換レンズの取り付け位置基準を銀塩カメラの取り付け基準に対してシフトさせることで対応可能である。
【００１０】
また、カメラ側でレンズのフォーカス時に補正することも技術的には可能である。しかしながら光学収差の変化によるベストピント位置変化に関しては、交換レンズの光学的諸特性と平板ガラス相当の厚みの２つの要素の相乗的なものに依存することより、従来のレンズ、カメラシステムではデジタルカメラが交換レンズのＲＯＭ情報等より、レンズのＦｎｏ情報や射出瞳位置情報とカメラが保有しているデジタルカメラの前記平板ガラス相当厚み情報をもとにして、カメラ側でその影響に対する補正量を、演算や情報テーブルを使い求め、カメラがレンズのピント位置を制御するときに使用していた（例えば、特許文献１）。
【特許文献１】特開平１１−１１２８５９号公報(段落番号０００８など)
【発明の開示】
【発明が解決しようとする課題】
【００１１】
しかしながら、交換レンズでの光学収差はレンズ構成、設計思想、グレード等によりさまざま形をしており、同じレンズ仕様であっても光学収差の量、その形状は全く異なる。同じ焦点距離、Ｆｎｏ、射出瞳位置であっても光学収差が違う場合は、同じ厚みの平板ガラスを入れたときの収差変化量は微妙に異なり、概算値としてレンズ仕様情報（Ｆナンバー、射出瞳位置）と平板ガラス相当厚み情報から算出された概算値とはずれが生じ、その差分はピント位置の誤差となってしまう。
【００１２】
また、銀塩カメラで使用される銀塩フィルムとデジタルカメラ用の固体撮像素子ではその分光感度特性が大きく異なり、このように記録媒体の分光感度特性が異なる場合、レンズ固有の色収差によってそのベストピント位置が銀塩フィルムとデジタルカメラの撮像素子では異なるといった問題がある。
【００１３】
銀塩用カメラとデジタルカメラの一方にしか装着できないようなシステムでは問題にはならないが、両カメラシステムに装着可能な交換レンズシステムの場合、最適化が難しいために高画質、高性能化が難しいといった問題がある。
【００１４】
デジタルカメラ用レンズのみ装着可能なカメラシステムでは、その閉じたシステムの中では高画質化、高性能化は可能であるが、既存の銀塩用交換レンズは機構上装着不可としている場合もある。銀塩用カメラとデジタルカメラの両方に高性能、高画質を要求した場合、銀塩カメラ用交換レンズとデジタルカメラ用交換レンズをそれぞれ独立に持つ必要があり非常に不経済となる。
【００１５】
そこで、本発明は、デジタル用カメラシステムおよび銀塩用カメラシステムの両方のカメラに装着可能な交換レンズにおいて、どちらのカメラシステムに装着されても高性能、高精度を得ることかできるレンズ装置およびカメラシステムを提供することを一つの目的とする。
【課題を解決するための手段】
【００１６】
上記課題を解決するために、本願発明のレンズ装置は、一つの観点として、それぞれレンズ装置から受信した情報を用いて演算を行うカメラであり、フィルムを使用する第１のカメラと撮像素子を備えた第２のカメラとに装着可能なレンズ装置であって、第１のカメラに対応した第１の情報と第２のカメラに対応した第２の情報を生成するための第３の情報とを記憶した記憶手段と、第１及び第２の情報のうちレンズ装置が装着されたカメラに対応する情報をカメラに送信する制御手段とを有することを特徴とする。ここで、上記構成において、第１及び第２の情報を記憶手段に記憶させ、これらの情報のうちレンズ装置が装着されたカメラに対応する情報をカメラに送信するようにしてもよい。また、記憶手段に第２の情報と第１の情報を生成するための第３の情報とを記憶させ、第１及び第２の情報のうちレンズ装置が装着されたカメラに対応する情報をカメラに送信するようにしてもよい。
【発明の効果】
【００１７】
本発明によれば、レンズ装置をフィルムが使用される第１のカメラおよび撮像素子を備えた第２のカメラのうちいずれに装着した場合であっても、それぞれのカメラシステムにおい各カメラに対応した情報をカメラに送信することができる。
【発明を実施するための最良の形態】
【００１８】
図１を用いて本発明の実施例であるレンズ交換式のカメラシステムについて説明する。ここで、図１は、本発明の実施例であるカメラシステムの機能ブロック図である。同図において、１ｂはデジタルカメラ、２はデジタルカメラ１ｂに対して着脱可能な撮影レンズ（レンズ装置）であり、点線は機械的な接続を表し、実線は電気的な接続を表している。
【００１９】
まず、撮影レンズ２の構成を説明する。７は焦点調節のために移動するフォーカスレンズ３の駆動力を発生する動力源であるモータ、６はモータ７の出力の減速とトルクアップを行うための減速器である。５は減速器６からの出力をフォーカスレンズ３の光軸方向駆動力に変換するカム筒等を含むフォーカスユニットである。
【００２０】
１０は撮影レンズ２内のすべての制御を司るレンズマイクロコンピュータ（以下、マイコンと略す）（制御手段）、１１はＲＡＭ、ＲＯＭ、ＥＥＰＲＯＭ等の内部メモリ（記憶手段）であり、後述するベストピント（以下、「ＢＰ」という場合もある）データ，レンズの仕様情報（Ｆナンバー、射出瞳位置等）などが記憶されている。
【００２１】
４はレンズマイコン１０からモータ７に駆動電力を与えるためのドライバ回路、９は減速器６およびフォーカスユニット５を介してモータ７によって駆動されるフォーカスレンズ３の移動に応じて信号（パルス信号）を出力するエンコーダユニットである。なお、このエンコーダユニット９は、モータ７の回転量を検出するものであってもよい。
【００２２】
１２はレンズマイコン１０がデジタルカメラ１ｂとの通信を行うための接点を有するレンズ接点ユニットである。
【００２３】
次に、デジタルカメラ１ｂの構成を説明する。１５はデジタルカメラ１ｂおよびカメラシステムの全ての制御を司るカメラマイクロコンピュータ（以下、マイコンと略す）である。１３はカメラマイコン１５から出力された指令信号に応じて、撮影レンズ１内の撮影光学系の被写体に対するピントずれ量を検出する焦点検出ユニットである。焦点検出ユニット１３の動作については、後述する。
【００２４】
１４はカメラマイコン１５からの命令に応じて、被写体の輝度を測定するための測光ユニット、１６はカメラマイコン１５がレンズマイコン１０と通信を行うための接点を有するカメラ接点ユニットである。デジタルカメラ１ｂに撮影レンズ２を装着すると、カメラ接点ユニット１６がレンズ接点ユニット１２に電気的に接触し、カメラマイコン１５とレンズマイコン１０との間での通信およびデジタルカメラ１ｂ側からレンズ２側への電源供給が可能となる。
【００２５】
１７は撮影レンズ２の撮影光学系により形成される被写体像を光電変換して画像信号を出力する、ＣＣＤ，ＣＭＯＳセンサ等の撮像素子であり、不図示のカバーガラスによって覆われている。撮像素子１７から出力された画像信号は、不図示の画像処理回路により画像処理され、不図示の記録媒体（半導体メモリ、磁気ディスク、光ディスク等）に記録される。
【００２６】
撮像素子１７と撮影レンズ２の間には、不図示のローパスフィルタ、ダイクロフィルタが配置されている。該ローパスフィルタによって偽色やモアレなどの不具合を抑制することができ、該ダイクロイックフィルタによって分光感度を可視域に補正することができる。
【００２７】
次に、銀塩カメラ１ａの構成について説明する。ただし、焦点検出ユニット１３、測光ユニット１４、カメラマイコン１５及び接点１６の構成については、デジタルカメラ１ｂの構成と略同様であるため、説明を省略する。
【００２８】
１８は被写体光が露光されるフィルムであり、フィルム駆動ユニット１９によって駆動される。銀塩カメラ１ａには、デジタルカメラ１ｂの光学ローパスフィルタ、ダイクロイックフィルタに相当する光学部材が組み込まれていない。
【００２９】
次に、図２を参照して、従来の銀塩カメラ用の撮影レンズ２ａを銀塩カメラ１ａ及びデジタルカメラ１ｂに装着した際の、フォーカス制御の手順を説明する。ここで、図２は、従来の銀塩カメラ用の撮影レンズ２ａを銀塩カメラ１ａ及びデジタルカメラ１ｂに装着した際の、フォーカス制御の制御手順を示したフローチャートである。
【００３０】
同図において２aは従来の銀塩カメラ用の撮影レンズであり、この撮影レンズ２aに組み込まれたレンズ内部メモリ１１には、メモリ情報の一部としてＢＰデータが記憶されている。このＢＰデータは、撮影レンズ２aがカメラ１に装着された場合に、レンズ内部メモリ１１から読み出されて、レンズ接点ユニット１２及びカメラ接点ユニット１６を介してカメラ１に送信される。
【００３１】
ここで、ＢＰデータとは、カメラ１がフォーカス制御を行うときに、カメラ１の焦点検出ユニット１３によって検出されたデフォーカス情報に対応した、フォーカスレンズ３の駆動量に関する情報である。
【００３２】
このＢＰデータはレンズ固有の情報であり、このＢＰデータをフォーカス制御の際に用いることにより、ズーム領域や撮影被写体距離等の撮影条件が異なる複数の撮影レンズ２aに対して、常にベストピントに合わせられるように、フォーカス制御を行うことができる。
【００３３】
通常ＢＰデータは、撮影レンズ２ａの種類に応じて測定された設計基準データと、この設計基準データを補正する、製造誤差などに基づく各撮影レンズ固有の補正データとから構成されており、カメラ１はこれらのデータの演算値を撮影レンズ２aのフォーカス制御用データとして使用している。
【００３４】
次に、銀塩カメラ用の撮影レンズ２ａがデジタルカメラ１ｂに装着された場合のカメラシステムの動作について説明する。ここで、前述したように、デジタルカメラ１ｂの場合、銀塩カメラ１ａと異なり撮像素子１７と撮影レンズ２との間にローパスフィルタ、ダイクロイックフィルタ、カバーガラス等を有しているため、これらの光学的な作用によりＢＰ位置が変化する。このＢＰ位置の変化量の概算値は、前記要素（ローパスフィルタ、ダイクロイックフィルタ、カバーガラスなど）の材質、総合的な厚み、撮影レンズ２の仕様（Ｆナンバー、射出瞳位置等）を用いることにより計算が可能である。
【００３５】
銀塩用の撮影レンズ２ａがデジタルカメラ１ｂに装着された場合、内部メモリ１１に記憶された銀塩用のＢＰデータ及び撮影レンズの仕様情報が、レンズ接点ユニット１２及びカメラ接点ユニット１６を介して、撮影レンズ２ａからカメラ側に送信される（ステップＳ１１）。
【００３６】
ここで、デジタルカメラで取り込まれた銀塩用ＢＰデータは、前述した理由でそのままでは使うことができない。
【００３７】
そのため、デジタルカメラ１ｂは、内部メモリ１１から読み出されたレンズの仕様情報と、カメラ自体の固有値のピント位置変化要素情報（対銀塩カメラ）をもとにして、その銀塩カメラ用ＢＰデータに対してデジタルカメラ特有の補正データを算出し、その補正データを銀塩用ＢＰデータに加算して、補正レンズＢＰデータを生成する（ステップＳ１２）。
【００３８】
そして、この補正レンズＢＰデータを用いて、レンズのベストピント位置を演算し、この演算結果を駆動データとして銀縁用の撮影レンズ２ａに送信する（ステップS１３）。これにより、フォーカスレンズ３がベストピント位置に駆動される。前述したように、補正値が概算値であることや、レンズの固有の色収差からくるピント位置の誤差に関しては補正されていない。
【００３９】
なお、銀塩用の撮影レンズ２ａが銀塩カメラ１ａに装着された場合には、撮影レンズ２ａから銀塩カメラ２ａにＢＰデータが送信され（ステップＳ１）、銀塩カメラ２ａは、このＢＰデータを用いて、フォーカスレンズ３のベストピント位置を演算する。
【００４０】
（実施例１）
次に、本発明の実施例１であるカメラシステムについて、図１及び図３を用いて説明する。ここで、図３は、新レンズ２が保有しているメモリ情報とデジタルカメラ１ｂに新レンズ２を装着したカメラシステムのフォーカス制御手順とを示したフローチャートである。なお、以下のフローチャートにおけるカメラ側の制御は、カメラマイコン１５によって実行され、レンズ側の制御は、レンズマイコン１０によって実行される。
【００４１】
図３において、２は銀塩カメラ１ａ及びデジタルカメラ１ｂの双方に対して着脱可能な新レンズであり。この新レンズ２の内部メモリ１１には、メモリ情報として、銀塩用ＢＰデータ（第１の情報）、補正データ（銀塩カメラ用ＢＰデータとデジタルカメラ用ＢＰデータの差のデータ）（第２の情報）、デジタルＢＰ保有フラグ（デジタルカメラ用ＢＰをメモリ情報として有していることを認識するための情報）（第３の情報）が記憶されている。
【００４２】
デジタルカメラ用のＢＰデータは、銀塩用ＢＰデータに補正データを加算することにより求められ、デジタルカメラ１ｂからの要求信号に応じてデジタルカメラ１ｂに送信される。
【００４３】
内部メモリ１１に記憶された補正データは、デジタルカメラ１ｂで使用されるピント位置変化要素の標準条件（光軸方向におけるローパスフィルタ、カバーガラス、ダイクロイックフィルタ等の総厚みが３ｍｍ）であり、実際のレンズ収差を考慮して算出された値である。これは、デジタルカメラが仮に標準条件であれば正確な補正値データとなり、レンズ固有の色収差や他の光学収差に違いがあっても、正確にフォーカス制御することができる。
【００４４】
図３において、銀塩カメラ１ａに新レンズ２が装着された場合、従来と同じように新レンズ２からカメラ側に内部メモリ１１に記憶された銀塩用ＢＰデータが送信され、この銀塩用ＢＰデータを用いてフォーカスレンズ３のベストピント位置が決定される。そして、このベストピント位置までの距離に応じたモータ７のパルス駆動量を算出して、この駆動パルス数分だけモータ７を駆動することにより、フォーカスレンズ３をベストピント位置に移動させる。
【００４５】
次に、デジタルカメラ１ｂに新レンズ２が装着された場合のカメラシステムの動作について説明する。
【００４６】
まず、デジタルカメラ１ｂは、新レンズ２に対してカメラ接点ユニット１６を介して通信することにより、内部メモリ１１にデジタルＢＰ保有フラグが記憶されているかどうか判別し、記憶されている場合には、新レンズ２がデジタル用BPデータを保有しているかを判定する（ステップＳ２１）。
【００４７】
仮に保有していないと判断された場合は、取りつけられた交換レンズは従来の銀塩用レンズであると判断して、銀塩用ＢＰデータをカメラ側に送信する（ステップＳ２７）。以降のステップＳ２８、ステップＳ２９におけるフォーカス制御に関する処理は、図２のステップＳ１２、ステップＳ１３と同様であり、これにより旧レンズシステムに対しての互換性を持たせることができる。
【００４８】
デジタルカメラ１ｂに装着された新レンズ２がデジタル用ＢＰデータを保有していると判定した場合、レンズマイコン１０は、レンズ接点ユニット１２を介して、デジタル用ＢＰデータをデジタルカメラ１ｂに送信する（ステップＳ２２）。
【００４９】
次に、デジタルカメラ１ｂのピント位置変化要素に関する実際の条件が、標準条件（３ｍｍ）と一致しているかどうかを判定し（ステップS２３）、一致している場合には、そのデジタル用ＢＰデータを用いてベストピント位置を演算し、この演算結果を駆動データとして新レンズ２ｂに送信する（ステップS２４）。
【００５０】
他方で、標準条件と異なる場合は、実際条件と標準条件との厚みの差分量に対して、従来のシステムが行っていた概算値算出方式によってさらに補正データを求め、この補正データをデジタル用ＢＰデータに加算して補正レンズＢＰデータを生成する（ステップＳ２５）。    
【００５１】
そして、この補正レンズＢＰデータを用いてフォーカスレンズ３のベストピント位置を演算し、この演算結果を駆動データとして新レンズ２ｂに送信する（ステップS２６）。
【００５２】
デジタルカメラの実際条件と標準条件が合致すれは非常に精度の高いピント位置制御を行うことができ、仮に合致しなくとも従来に較べ補正量を格段に小さくすることができる。これにより、誤差は非常に小さくすることができるため、精度の高いピント位置制御を行うことができる。
【００５３】
なお、図４に示すように、銀塩用ＢＰデータ（第１の情報）と補正データとを用いて得られたデジタル用ＢＰデータ（第２の情報）を予め内部メモリ１１に記憶させ、これをカメラからの要求に応じて送信するようにしてもよい。この場合、銀塩カメラ１ａ及びデジタルカメラ１ｂにおける動作は、上述した図３のフローと同様であるため、説明を省略する。
【００５４】
また、図５に示すように、デジタル用ＢＰデータ（第２の情報）及び補正データ（第３の情報）を内部メモリ１１に予め記憶しておき、これらを加算して銀塩用ＢＰデータ（第１の情報）を生成するようにしてもよい。この場合、銀塩カメラ１ａ及びデジタルカメラ１ｂにおける動作は、上述した図３のフローと同様であるため、説明を省略する。
【００５５】
（実施例２）
図６を用いて本発明のカメラシステムの第２実施例について説明する。ここで図６は、新レンズ２ｃが保有しているメモリ情報と、カメラシステムにおけるフォーカス制御手順を示したフローチャートである。
【００５６】
同図において、２ｃは新レンズであり、新レンズ２ｃは銀塩用ＢＰデータと補正用データ（銀塩用ＢＰとデジタル用ＢＰの差分データ）を有している。この新レンズ２ｃからカメラ１に対してＢＰデータを送信する際の制御手順について説明する。なお、このレンズ２ｃにおける制御は、レンズマイコン１０によって実行される。
【００５７】
まず、装着されたカメラに対して通信して、該カメラが有する不図示のメモリ情報を読み出すとともに、この読み出したメモリ情報に基づき該カメラがデジタルカメラかどうかを判定する（ステップS３１）。
【００５８】
そして、装着されたカメラがデジタルカメラでないと判定した場合には、内部メモリ１１に記憶された銀塩用ＢＰデータを銀塩カメラ１ａに送信し（ステップS32）、デジタルカメラであると判定した場合には、銀塩用ＢＰデータに補正データを加算したものをデジタル用ＢＰデータとしてデジタルカメラ１ｂ送信する（ステップＳ３３)。
【００５９】
ここで、デジタル用ＢＰデータは、実施例１で説明したように標準条件での補正値をもとに算出されたものである。
【００６０】
そして、デジタル用ＢＰデータを受信したデジタルカメラ１ｂ（ステップＳ４１）は、デジタルカメラ１ｂのピント位置変化要素に関する実際の条件が、標準条件（３ｍｍ）と一致しているかどうかを判定し（ステップS４２）、一致している場合には、そのデジタル用ＢＰデータを用いてベストピント位置を演算し、この演算結果を駆動データとして新レンズ２ｂに送信する（ステップS４３）。
【００６１】
他方で、標準条件と異なる場合は、実際条件と標準条件との厚みの差分量に対して、従来のシステムが行っていた概算値算出方式によってさらに補正データを求め、この補正データをデジタル用ＢＰデータに加算して補正レンズＢＰデータを生成する（ステップＳ４４）。
【００６２】
そして、この補正レンズＢＰデータを用いてフォーカスレンズ３のベストピント位置を演算し、この演算結果を駆動データとして新レンズ２ｂに送信する（ステップS４５）。
【００６３】
実施例１において、銀塩用ＢＰデータに補正データを加算することによりデジタル用ＢＰデータを求めているのは、補正データの形態でもつことにより、必要に応じてデータ量を調整しやすく、補正データテーブルの共通化を行ってレンズ内のメモリ容量を削減してコストダウンするためである。
【００６４】
無論実施例としては、銀塩用ＢＰデータとデジタル用ＢＰデータを演算なしで独立に持たせることも可能であり、銀塩用ＢＰデータをデジタル用ＢＰデータと補正データの演算によって算出するようにすることもできる。
【００６５】
以上の説明は、銀塩用カメラとデジタル用カメラのピント制御上の情報に関しての説明であるが、銀塩とデジタルで異なる情報に関しては同様な手法で適用することが可能であり、例えばデジタルカメラと銀塩カメラでイメージサークルが異なる場合、測光に関する情報（例えば周辺光量情報）に関して両データを持つようにしても良い。
【００６６】
さらに、デジタルカメラで特有の条件が複数ある場合には、デジタルカメラ１、デジタルカメラ２というように区別してレンズ側から送る情報を銀塩条件以外に３種類以上にすることもできる。
【００６７】
以上説明したように、上述の実施例によれば、撮影レンズをデジタルカメラおよび銀塩用カメラのどちらのカメラに装着しても、それぞれのカメラで最適な制御を可能とすることができる。また、既に発売済の旧システムのレンズやカメラとの互換性も容易にとることができ、利便性がよい。
【図面の簡単な説明】
【００６８】
【図１】カメラシステムの機能ブロック図
【図２】従来のレンズ、カメラシステム（銀塩、デジタル両対応）を説明するための概念図
【図３】本発明の実施例１のレンズ、カメラシステム（銀塩、デジタル両対応）を説明するための概念図
【図４】実施例１の変形例を説明するための概念図
【図５】実施例１の変形例を説明するための概念図
【図６】本発明の実施例２のレンズ、カメラシステム（銀塩、デジタル両対応）を説明するための概念図
【符号の説明】
【００６９】
１  カメラ
２  撮影レンズ
３  フォーカスレンズ
４  ドライバ
５  フォーカスユニット
６  減速器
７  モータ
９  エンコーダ
１０  レンズマイコン
１１  内部メモリ
１２  接点
１３  焦点検出ユニット
１４  測光ユニット
１５  カメラマイコン
１６  接点
１７  撮像素子
１８  フィルム
１９  フィルム駆動ユニット
【図１】
2006119283.tif 000003
【図２】
2006119283.tif 000004
【図３】
2006119283.tif 000005
【図４】
2006119283.tif 000006
【図５】
2006119283.tif 000007
【図６】
2006119283.tif 000008